(57)【要約】【課題】適宜にシート・アレンジを可能にして車室内の移動性および居住性を向上させ、そして、会話もし易くできて車移動を快適にする。【解決手段】左右のフロントおよびリア・シート１５、１４および１７、１６のアシスト・シート１５およびそれの後方のリア・シート１７に用いる側で車室１１の前方から荷室１２の後方に延びるフロア部分１９に左右方向に所定の間隔を置いて前後方向に延び、そして、そのフロア部分１９に組み付けられ、そして、そのフロア部分１９上にそのアシスト・シート１５およびその後方のリア・シート１７のそれぞれを前後に移動可能にして適宜の位置に据え付け可能にする一対のロング・スライド・レール２１、２１と、その左右のフロントおよびリア・シート１５、１４および１７、１６の間のセンター・フロア部分２０に前後方向に延びてそのセンター・フロア部分２０に組み付けられ、そして、そのセンター・フロア部分２０上に小型の補助センター・シート１８を前後に移動可能にして適宜の位置に据え付け可能にする単一のロング・スライド・レール２２とを備える。【選択図】        図２
2004249928.tif 000002
【特許請求の範囲】
【請求項１】
左右のフロントおよびリア・シートのアシスト・シートおよびそれの後方のリア・シートに用いる側で車室の前方から荷室の後方に延びるフロア部分に左右方向に所定の間隔を置いて前後方向に延び、そして、そのフロア部分に組み付けられ、そして、そのフロア部分上にそのアシスト・シートおよびその後方のリア・シートのそれぞれを前後に移動可能にして適宜の位置に据え付け可能にする一対のロング・スライド・レールと、その左右のフロントおよびリア・シートの間のセンター・フロア部分に前後方向に延びてそのセンター・フロア部分に組み付けられ、そして、そのセンター・フロア部分上に小型の補助センター・シートを前後に移動可能にして適宜の位置に据え付け可能にする単一のロング・スライド・レールとを備える自動車。
【発明の詳細な説明】
【０００１】
【発明の関係する分野】
この発明は、適宜にシート・アレンジを可能にして車室内に移動を円滑にするところのワゴン、バン、およびレクリエーショナル・ビークルなどの自動車に関する。
【０００２】
【背景技術】
最近のワゴンやバンでは、１本のロング・スライド・レールが左右のフロントおよびリア・シートの間のセンター・フロア部分に配置され、そのセンター・フロア部分上に小型の補助センター・シートを前後に移動可能にし適宜の位置に据え付け可能にし、そして、車室内の移動性および居住性を向上させ、また、会話をし易くする傾向にある。ところが、父親が運転し、そして、母親と子供がその左右のリア・シートに別々び座って親子三人で車移動する際に、その子供がチャイルド・シートで眠ってしまうと、その母親はそのフロント・シート、すなわち、アシスト・シートに移って主人と話したくなるのが一般である。
そのような場合、そのアシスト・シートおよびそれの後方になるリア・シートに用いるそのフロントおよびリア・シートがフロアに固定的に据え付けられているので、その母親は、そのアシスト・シートに移るのが非常に厄介になり、不便を感じる。
【０００３】
【発明の課題】
この発明の課題は、適宜のシート・アレンジを可能にして車室内の移動性および居住性を向上させ、そして、会話もし易くできて車移動を快適にするところの自動車の提供にある。
【０００４】
【課題に相応する手段およびそれの作用】
この発明は、左右のフロントおよびリア・シートのアシスト・シートおよびそれの後方のリア・シートに用いる側で車室の前方から荷室の後方に延びるフロア部分に左右方向に所定の間隔を置いて前後方向に延び、そして、そのフロア部分に組み付けられ、そして、そのフロア部分上にそのアシスト・シートおよびその後方のリア・シートのそれぞれを前後に移動可能にして適宜の位置に据え付け可能にする一対のロング・スライド・レールと、その左右のフロントおよびリア・シートの間のセンター・フロア部分に前後方向に延びてそのセンター・フロア部分に組み付けられ、そして、そのセンター・フロア部分上に小型の補助センター・シートを前後に移動可能にして適宜の位置に据え付け可能にする単一のロング・スライド・レールとを備え、そして、必要に応じてその荷室にその後方のリア・シートを移動・格納して置き、そして、そのフロント・シート位置とそのリア・シート位置との間にそのアシスト・シートを移動・据え付け可能にする。
【０００５】
【具体例の説明】
以下、特定されて図示された具体例に基づいて、この発明の自動車を説明するに、図１および図２は、ワゴンに具体化されたところのこの発明の自動車の具体例１０を示し、そして、このワゴン１０がフロア１３に左右のフロントおよびリア・シート１５、１４および１７、１６、および小型の補助センター・シート１８を配置し、そして、その左右のリア・シート１７、１６の後方スペースを荷室１２に活用する構造を採り、そして、その右のフロントおよびリア・シート１４、１６をそれぞれのシート・トラックでそのフロア１３に前後に調整可能に据え付けられるので、このワゴン１０では、一対のロング・スライド・レール２１、２１が、その左右のフロントおよびリア・シート１５、１４および１７、１６のアシスト・シート１５およびそれの後方のリア・シート１７に用いる側で車室１１の前方からその荷室１２の後方に延びるフロア部分１９に左右方向に所定の間隔を置いて前後方向に延び、そして、そのフロア部分１９に組み付けられ、そして、そのフロア部分１９上にそのアシスト・シート１５およびその後方のリア・シート１７のそれぞれを前後に移動可能にして適宜の位置に据え付け可能にし、また、単一のロング・スライド・レール２２が、その左右のフロントおよびリア・シート１５、１４および１７、１６の間のセンター・フロア部分２０に前後方向に延びてそのセンター・フロア部分２０に前後方向に延びてそのセンター・フロア部分２０に組み付けられ、そして、そのセンター・フロア部分２０上にその小型の補助センター・シート１８を前後に移動可能にして適宜の位置に据え付け可能にする。このワゴン１０は、その一対のロング・スライド・レール２１、２１と同様にその荷室１２の後方までその単一のロング・スライド・レール２２を延ばしてその小型の補助センター・シート１８もその荷室１２に移動・格納可能にしている。勿論、その左右のフロントおよびリア・シート１５、１４および１７、１６はそれぞれシート・ベルトを着用可能にされている。特に、その左のフロントおよびリア・シート１５および１７は三点シート・ベルトを組み込み、そして、どの位置でも対応可能にしている。
【０００６】
その一対のロング・スライド・レール２１、２１およびその単一のロング・スライド・レール２２は、それぞれ鋼板から横断面溝形に成形され、そして、その一対のロング・スライド・レール２１、２１はそのフロア部分１９に、その単一のロング・スライド・レール２２はそのセンター・フロア部分２０にそれぞれ組み付けられる。さらに具体的には、その一対のロング・スライド・レール２１、２１および単一のロング・スライド・レール２２は、溝の開口を狭める左右の内向きトップ・フランジを備え、そして、その左右の内向きトップ・フランジの先端のそれぞれに下向きリップを折り曲げている。
【０００７】
したがって、このワゴン１０では、父親がその右のフロント・シート１４、すなわち、ドライバー・シート１４に座って操縦し、そして、母親と子供がその左右のリア・シート１７、１６に別々に座って親子三人で車移動する場合、先ず、その一対のロング・スライド・レール２１、２１上にその左のリア・シート１７を後方に摺動させてリア・シート位置からその荷室１２にその左のリア・シート１７を移動させ、そして、その荷室１２においてそのフロア部分１９に据え付けてその荷室１２にその左のリア・シート１７を格納する。次に、その一対のロング・スライド・レール２１、２１上にその左のフロント・シート１５、すなわち、そのアシスト・シート１５を後方に摺動させてアシスト・シート位置からそのリア・シート位置にそのアシスト・シート１５を移動させ、そして、そのリア・シート位置でそのフロア部分１９にそのアシスト・シート１５を据え付ける。
【０００８】
予め、そのようなシート・アレンジを行なってからその親子三人はそのワゴン１０に乗る。走行中にその子供が眠ってしまうと、その母親はその一対のロング・スライド・レール２１、２１上にそのアシスト・シート１５を前方に摺動させてそのリア・シート位置からそのフロント・シート位置にそのアシスト・シート１５を移動させ、そして、そのフロント・シート位置でそのフロア部分１９にそのアシスト・シート１５を据え付ける。その母親はその車室１１内に円滑にしかも簡単に移動できて主人と話しやすくなる。
【０００９】
そのように、そのワゴン１０では、適宜のシート・アレンジが可能になってその車室１１内の移動性および居住性が向上され、そして、会話もし易くなって車移動が快適になる。また、そのようなシート・アレンジでそのワゴン１０を運転するその父親にとっては視界が良い。
【００１０】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１１】
【発明の便益】
上述から理解されるように、この発明の自動車は、左右のフロントおよびリア・シートのアシスト・シートおよびそれの後方のリア・シートに用いる側で車室の前方から荷室の後方に延びるフロア部分に左右方向に所定の間隔を置いて前後方向に延び、そして、そのフロア部分に組み付けられ、そして、そのフロア部分上にそのアシスト・シートおよびその後方のリア・シートのそれぞれを前後に移動可能にして適宜の位置に据え付け可能にする一対のロング・スライド・レールと、その左右のフロントおよびリア・シートの間のセンター・フロア部分に前後方向に延びてそのセンター・フロア部分に組み付けられ、そして、そのセンター・フロア部分上に小型の補助センター・シートを前後に移動可能にして適宜の位置に据え付け可能にする単一のロング・スライド・レールとを備えるので、この発明の自動車では、シート・アレンジが適宜に可能になって車室内の移動性および居住性が向上され、そして、会話もし易くなって車移動が快適になり、その結果、ワゴン、バン、およびレクリエーショナル・ビークルなどにとって非常に有用で実用的である。
【図面の簡単な説明】
【図１】ワゴンに具体化されたところのこの発明の自動車の具体例でシート・アレンジを示した平面図である。
【図２】図１に示されたシート・アレンジを変えて示した平面図である。
【符号の説明】
１１  車室
１２  荷室
１３  フロア
１４  右のフロント・シート／ドライバー・シート
１５  左のフロント・シート／アシスト・シート
１６  右のリア・シート
１７  左のリア・シート／それの後のリア・シート
１８  小型の補助センター・シート
１９  フロア部分
２０  センター・フロア部分
２１  一対のロング・スライド・レール
２２  単一のロング・スライド・レール
【図１】
2004249928.tif 000003
【図２】
2004249928.tif 000004